(57)【特許請求の範囲】
【請求項１】
籠型で方形の棚材を支柱の任意箇所に固定して商品陳列棚を形成する棚材位置固定具であって、
掛止穴を直列に配設した支柱と、
軸方向に２分割しそれぞれの内周に前記支柱上の前記掛止穴に係合する位置決め手段を設け、かつ２分割したそれぞれを一体化する一体化手段を分割部に設けた内嵌部材と、軸方向に２分割したそれぞれが、前記内嵌部材の一体化手段に係合して該内嵌部材を一体化する一体化手段が内面に設けられた、棚構成部材を有する外嵌部材とから成ることを特徴とする棚位置固定具。
【請求項２】
前記一体化手段は、内嵌部材の分割部にて軸方向に沿ってテーパー状に形成されたアリ部と、外嵌部材の内側に形成して内嵌部材のアリ部に外嵌するテーパー状アリ溝とから成り、前記テーパー相互間が嵌合することによるテーパーの締め付け効果にて内嵌部材の割り面を締め付けて一体化すると同時に支柱に固定することを特徴とする請求項１記載の棚位置固定具。
【請求項３】
前記位置決め手段は、２つ割り内嵌部材それぞれの内面に掛止突起を突設し、一方、支柱の軸方向における複数箇所に掛止穴を穿設して、この掛止穴に掛止突起を掛止することにより棚の上下方向における位置を固定することを特徴とする請求項１記載の棚位置固定具。
【請求項４】
前記外嵌部材の割り面に、割り面相互間が互いに掛止し合う軸方向のずれ止め防止手段を設けたことを特徴とする請求項１記載の棚位置固定具。
【発明の詳細な説明】
【０００１】
【発明の属する技術分野】
本発明は、直立支柱上を移動して棚の高さを固定する商品陳列棚等の棚位置固定具に関する。
【０００２】
【従来の技術】
従来から商品陳列棚は、図７に示すように、長方形状で籠型の棚材１の４隅部を支柱に固着し、これを複数段に形成した構造である。商品を陳列する際に商品の形状や大きさ又は陳列方法等により棚材１の高さを適宜に変更する必要がある。そのために、従来から棚位置固定具２を用いて棚材１を上下に移動し、任意の位置に固定することが行なわれていた。
【０００３】
この棚位置固定手段としては、図８に示すように、支柱５の軸方向における複数箇所に円周溝２１を設けられている。一方、外周がテーパ状の内嵌部材２２を２つ割りに形成してそれぞれの内周にリング状突起２３を設けた内嵌部材２２と、この内嵌部材２２を支柱５に外嵌してリング状突起２３を円周溝２１に係合して位置決めし、この内嵌部材２２の外周にテーパーを設けた外嵌部材２４とからなり、内嵌部材２２のリング状突起２３を支柱５の円周溝２１に装着し、外嵌部材２４を嵌合して固定する。これにより内嵌部材２２をテーパーの締め付け効果にて一体化し、棚材１の位置を固定する。
【０００４】
【発明が解決しょうとする課題】
しかしながら、前記従来の棚位置固定具２は外嵌部材２４が一体形成した筒状になっているために、棚材１を支柱５に固定するために外嵌部材２４を支柱５の先端から挿嵌しなければならないことになる。特に支柱５の中間にある棚材１を装着するためには、装着位置より上方に装着された棚材１を一旦外さなければならないという問題があった。
【０００５】
本発明は、前記従来の問題点に鑑みてなされたものであり、棚材を支柱上の任意の位置に直接に着脱することができる棚材の位置変更が容易な棚材位置固定具の提供を目的とする。
【０００６】
【課題を解決するための手段】
上記目的を達成するため、本発明の請求項１記載の棚材位置固定具は、籠型で方形の棚材を支柱の任意箇所に固定して商品陳列棚を形成する棚材位置固定具であって、掛止穴を直列に配設した支柱と、軸方向に２分割したそれぞれの内周に支柱上の前記掛止穴に係合する位置決め手段を設け、かつ２分割したそれぞれを一体化する一体化手段を分割部に設けた内嵌部材と、軸方向に２分割したそれぞれが、前記内嵌部材の一体化手段に係合して該内嵌部材を一体化する一体化手段を内面に設けた外嵌部材とから成ることを特徴とする。
【０００７】
請求項２記載の棚材位置固定具は、前記一体化手段は、内嵌部材の分割部にて軸方向に沿ってテーパー状に形成されたアリ部と、外嵌部材の内側に形成して内嵌部材のアリ部に外嵌するテーパー状アリ溝とから成り、前記テーパー相互間が嵌合することによるテーパーの締め付け効果にて内嵌部材の割り面を締め付けて一体化すると同時に支柱に固定することを特徴とする請求項１記載の棚位置固定具である。
【０００８】
請求項３記載の棚材位置固定具は、前記位置決め手段は、２つ割り内嵌部材それぞれの内面に掛止突起を突設し、一方、支柱の軸方向における複数箇所に掛止穴を穿設して、この掛止穴に掛止突起を掛止することにより棚の上下方向における位置を固定することを特徴とする請求項１記載の棚位置固定具である。
【０００９】
請求項４は、前記外嵌部材の割り面に、割り面相互間が互いに掛止し合う軸方向のずれ止め防止手段を設けたことを特徴とする請求項１記載の棚位置固定具である。
【００１０】
請求項１の発明によれば、位置決め手段により棚材の高さ方向の位置決めをする内嵌部材と、内嵌部材に外嵌して内嵌部材の２つ割り面を締め付けて一体化する外嵌部材のいずれも２分割されているので、棚を支柱上の任意の位置に直接に着脱することが可能となる。また、棚板を支持するために、内嵌部材と外嵌部材との単純な二重構造となり、組立が簡単、迅速に行える。
【００１１】
請求項２の発明によれば、棚位置固定具の一体化手段が、２分割された内嵌部材の相互間をテーパーに形成されたアリ部とアリ溝との嵌合にて締め付ける構成であるので、棚位置固定具の固定が容易喝確実である。
【００１２】
請求項３の発明によれば、支柱の軸方向に穿設された複数の掛止穴を選択して内嵌部材の掛止突起を掛止することにより棚を支柱上の任意の位置にて確実に固定することが可能となる。
【００１３】
請求項４の発明によれば、外嵌部材が割り面相互間にて互いに係合し合うことにより２つ割り相互間のずれ止めが可能となり、棚位置固定具の固定が安定する
。
【発明の実施の形態】
以下本発明の実施の形態を図面を用いて説明する。
図１から図６は本発明の実施の形態に係り、図１（ａ），（ｂ）は内嵌部材の斜視図、図２（ａ），（ｂ）は外嵌部材の斜視図、図３は支柱の正面図、図４は棚位置固定具の上面図、図５は棚位置固定具の側面図、図６は一体化手段を示す側面図である。
【００１４】
本発明を適用する商品陳列棚は、例えば図７に示すように、複数段の棚材１が隅部に設けられた棚材位置固定具２を介して支柱５の適当な高さに支えられている。
【００１５】
本発明に係わる棚材位置固定具２は、図１（ａ），（ｂ）及び図２（ａ），  （ｂ）に示すように、支柱５と、内嵌部材３と外嵌部材４とから構成される。一方、支柱５には、図３に示すように、軸方向に沿って複数の長方形の細い掛止穴６が設けられている。
【００１６】
また、内嵌部材３は、図１（ａ），（ｂ）に示すように、軸芯対象に２分割され、それぞれの内周に支柱側の掛止穴６に掛止して棚材１の高さを決める位置決め手段としての掛止突起７が突設されている。また、内嵌部材３の分割部８における背面側には割り面相互間を一体的に固定する一体化手段として割り面に沿って上方から下方に末広がりのテーパー状アリ部９が設けられている。
【００１７】
外嵌部材４は、図２（ａ），（ｂ）に示すように、軸芯対象に２分割された略コの字形に形成され、それぞれの奥壁に内嵌部材３のアリ部９に係合して一体化する一体化手段としてテーパー状アリ溝１０が形成されている。このアリ溝１０は奥壁の中央から上下の端部に向かって末広がりのテーパーに形成され、内嵌部材３のテーパー状アリ部９に対して外嵌部材４をいずれの方向からでも係合することができるようになっている。
【００１８】
更に、外嵌部材４の２つ割り面相互には、ずれ防止手段として凹凸にて係合し合う掛止突起１１及び掛止凹部１２が設けられている。この外嵌部材４を内嵌部材３に嵌合した時に２つ割り面相互間が軸方向にずれることを防止している。
【００１９】
また、この外嵌部材４の背面には、図４に示すように、支持部材１３と連結する連結ボス１４が設けられており、支柱３の左右に同じ高さで、棚材位置を設定できる。これによって、横方向に連続して棚を構成することができる。さらに、図５に示すように、連結ボス１４を支持部材１３に差し込んでビス１５にて固定することができるようになっている。
【００２０】
この構成の棚材位置固定具２は、棚材１を支柱５の適当な位置に固定するに際して、支柱５上の固定すべき高さの掛止穴６を選択し、２つ割りの内嵌部材３それぞれを支柱５の側面から嵌合して内周に設けられた掛止突起７を、掛止穴６に掛止する。
【００２１】
次に、支柱５に嵌合した内嵌部材３のテーパー状アリ部９に対して、その上方から割り面のずれ防止手段を組合わせて一体化した外嵌部材４のアリ溝１０を嵌合し、押し下げることによりテーパーの締め付け効果にて２つ割りの内嵌部材３が一体化すると同時に支柱５の面に固定され、棚材位置固定具２による支柱５に対する棚材の固定が完了する。
【００２２】
【発明の効果】
本発明の棚材位置固定具によれば、軸方向に２分割された内嵌部材に、軸方向に２分割された外嵌部材を外嵌し、一体化手段により内嵌部材の割り面を締め付けて固定する。棚材を上方から取り外すことなく、単独で棚材を取り替えることができる。さらに、棚材位置固定具を介して棚材を支柱上のいずれの高さにでも直接にその位置に固定することが可能となる。また、棚板を支持するために、内嵌部材と外嵌部材との単純な二重構造となり、組立が簡単、迅速に行える。
【００２３】
支柱３の左右に同じ高さで、棚材位置を設定できることにより、横方向に連続して棚を構成することができる。
【００２４】
また、内嵌部材の掛止突起が支柱の掛止穴に掛止して位置決めされる構成であるので、位置決めが確実である。更に内嵌部材の固定手段がテーパー状アリ部から成ることにより、このアリ部に外嵌部材のアリ溝を挿嵌するするだけで、割り面を締め付けて固定することができるので固定が簡単確実である。
【００２５】
また、外嵌部材は割り面相互間がずれ防止手段にてずれ止めされているので、内嵌部材に外嵌した際に固定手段による固定が確実になる。
【図面の簡単な説明】
【図１】（ａ），（ｂ）は棚材位置固定具の内嵌部材を示す斜視図。
【図２】（ａ），（ｂ）は棚材位置固定具の外嵌部材を示す斜視図。
【図３】支柱の正面図。
【図４】棚材位置固定具の上面図。
【図５】棚材位置固定具の側面図。
【図６】一体化手段を示す側面図。
【図７】従来からの商品陳列棚の斜視図。
【図８】従来の棚材位置固定具の説明図。
【符号の説明】
１…棚材                    ２…棚材位置固定具
３…内嵌部材                ４…外嵌部材
５…支柱                    ６…掛止穴
７…掛止突起                ８…分割部
９…テーパ状アリ部        １０…テーパ状アリ溝
１１…掛止突起              １２…掛止凹部
１３…支持部材              １４…連結ボス
１５…ビス
【図１】
0003657575.tif 000002
【図２】
0003657575.tif 000003
【図３】
0003657575.tif 000004
【図４】
0003657575.tif 000005
【図５】
0003657575.tif 000006
【図６】
0003657575.tif 000007
【図７】
0003657575.tif 000008
【図８】
0003657575.tif 000009